(57)【要約】【課題】装飾腕時計において、時刻表示用輪列機構に連動して信号を出力するメカニカルスイッチを用いつつ、装飾機構を動作させる時刻の精度を向上させる。【解決手段】カム機構７４（スイッチカム座７２、およびスイッチカム座７２の回転に追従して回転するスイッチカム７３）とスイッチばね７１とからなるメカニカルスイッチは、スイッチばね７１の先端部７１ｂが、スイッチカム７３のカム駆動面７３ａのうち傾斜面７３ｂに位置すると、ばね部７１ａの弾性力に応じた押圧力により、スイッチカム７３の長孔７３ｃの前壁面７３ｄがスイッチカム座７２のピン７２ａから離れるように、スイッチカム７３を早送りすることで、ばね部７１ａと端子７５ａとが瞬時に接触してメカニカルスイッチをオフ安定状態からオン安定状態に瞬時に切り替える。【選択図】図２１
2008249509.tif 000002
【特許請求の範囲】
【請求項１】
開閉可能の扉と、前記扉を開閉させる駆動機構と、前記駆動機構を駆動する扉用ステップモータおよび扉用輪列機構と、時刻系モータおよび時刻表示用輪列機構と、前記時刻表示用輪列機構に連動してスイッチ信号を出力するメカニカルスイッチと、秒に同期して一定時間間隔でパルスを出力する秒同期カウンタと、前記扉用ステップモータに駆動信号を出力する制御回路とを有し、
前記メカニカルスイッチは、定時になるとスイッチ部材が瞬間的に接点端子に接触することによってオフ安定状態からオン安定状態に切り替える瞬時スイッチ機構を有し、
前記制御回路は、前記スイッチ信号の出力期間中に前記秒同期カウンタからのパルスを検出することにより、前記扉用ステップモータに前記駆動信号を出力して、前記扉を開閉させることを特徴とする装飾腕時計。
【請求項２】
前記メカニカルスイッチは、前記時刻表示用輪列機構に連動して回転するスイッチカム座と円板状で外周の一部にカットされた凹部を有し前記スイッチカム座に同心に係合したスイッチカムとからなるカム機構、および先端部がカム駆動面にある状態においては前記接点端子と離れてオフ安定状態となり前記凹部にある状態においては前記接点端子と接触してオン安定状態となるスイッチ部材、を備え、
少なくとも前記凹部または先端部に傾斜面が形成されているとともに、前記カム機構により、前記オフ安定状態と前記オン安定状態との切替えを行うものであり、
前記瞬時スイッチ機構は、前記スイッチカムが前記スイッチカム座に対し先行回転可能な伝達機構を有し、前記スイッチ部材が瞬時に前記スイッチカムを先行回転させることで、前記スイッチ部材が前記スイッチカムの凹部を落下し前記接点端子と接触することにより、形成されたものであることを特徴とする請求項１に記載の装飾腕時計。
【請求項３】
前記メカニカルスイッチから出力される前記スイッチ信号の立上がりが、前記秒同期カウンタから前記パルスが出力されてから次のパルスが出力されるまでの期間のうち、前記パルスの出力周期の略半分の時間が経過したタイミングとなるように設定されていることを特徴とする請求項１または２に記載の装飾腕時計。
【請求項４】
文字板を有し、開いた前記扉を前記文字板の背面側に位置させて、前記扉は外部から隠されることを特徴とする請求項１から３のうちいずれか１項に記載の装飾腕時計。
【請求項５】
前記駆動機構は、前記扉が固定された作動板を備え、
外部から操作の入力される外部操作部材と、姿勢が変化するストッパ用ばね部材と、前記外部操作部材に入力された操作に連動して、前記ストッパ用ばね部材の姿勢を制御する制御レバー部材、および前記作動板を少なくとも１回分の開閉動作をさせるのに必要な数のパルスを前記扉用ステップモータに出力する初期化制御回路とを有し、
前記制御レバー部材によって変化した前記ストッパ用ばね部材の姿勢は、前記作動板の動きを規制する姿勢であることを特徴とする請求項１から４のうちいずれか１項に記載の装飾腕時計。
【請求項６】
前記扉用輪列機構は、その一部にスリップ機構を備えていることを特徴とする請求項５に記載の装飾腕時計。
【請求項７】
回転可能のディスクと、前記ディスクを回転させるディスク用ステップモータおよびディスク用輪列機構とを備え、前記制御回路は、前記ディスク用ステップモータを、前記扉用ステップモータの駆動と同時または駆動の後に駆動するように制御することを特徴とする請求項１から６のうちいずれか１項に記載の装飾腕時計。
【請求項８】
外部から操作の入力される外部操作部材と、姿勢が変化するディスクストッパ用ばね部材と、前記外部操作部材に入力された操作に連動して、前記ディスクストッパ用ばね部材の姿勢を制御するディスク制御レバー部材、および前記ディスクを少なくとも１回転させるのに必要な数のパルスを前記ディスク用ステップモータに出力するディスク初期化制御回路とを有し、
前記ディスク制御レバー部材によって変化した前記ディスクストッパ用ばね部材の姿勢は、前記ディスクの動きを規制する姿勢であることを特徴とする請求項７に記載の装飾腕時計。
【請求項９】
前記ディスク用輪列機構は、その一部にスリップ機構を備えていることを特徴とする請求項８に記載の装飾腕時計。
【請求項１０】
長径部と短径部を有する時計ムーブメントと、前記時計ムーブメントを保持する基板とを有し、前記扉用ステップモータは、前記時計ムーブメントの短径部の外方側に設けられた基板上に配置されるととともに、前記扉用ステップモータのコイルが前記時計ムーブメントの外周縁と略平行になるように配設され、前記扉用ステップモータのロータを含む前記扉用輪列機構は、前記時計ムーブメントの外周縁に近接して略平行になるように配設されていることを特徴とする請求項１から９のうちいずれか１項に記載の装飾腕時計。
【請求項１１】
（扉用モータおよび輪列機構は、時計ムーブと厚さ方向同じ位置）
前記扉用ステップモータおよび前記扉用輪列機構は、時計の厚さ方向において、前記時計ムーブメントと略同じ高さ位置に配設されていることを特徴とする請求項１０に記載の装飾腕時計。
【請求項１２】
（ディスク用モータの配置の詳細および輪列機構の配置）
回転可能のディスクと、前記ディスクを回転させるディスク用ステップモータおよびディスク用輪列機構とを有し、
前記ディスク用ステップモータは、前記基板上における、前記時計ムーブメントを挟んで前記扉用ステップモータと対向する側の領域に、そのコイルが前記時計ムーブメントの外周縁と略平行になるように、かつ、前記ディスク用輪列機構が前記時計ムーブメントの外周縁に近接して略平行に配設されており、前記扉用ステップモータおよび前記扉用輪列機構並びに前記ディスク用ステップモータおよび前記ディスク用輪列機構が、前記基板に配設された、外部から操作が入力される外部操作部材を避けるように、配設されていることを特徴とする請求項１０または１１に記載の装飾腕時計。
【請求項１３】
（ディスク用モータおよび輪列機構は時計ムーブと厚さ方向同じ位置）
前記ディスク用ステップモータおよび前記ディスク用輪列機構は、時計の厚さ方向において、前記時計ムーブメントと略同じ高さ位置に配設されていることを特徴とする請求項１２に記載の装飾腕時計。
【発明の詳細な説明】
【技術分野】
【０００１】
本発明は、装飾腕時計に関し、詳細には、開閉する扉を有する装飾腕時計に関する。
【背景技術】
【０００２】
従来、普段は閉じている扉を毎正時などにおいて開放し、内部に隠されている人形等を見せて、その視覚的変化を楽しませる、いわゆる装飾時計（からくり時計など）が知られている（特許文献１）。
【０００３】
ここで、上述した装飾時計の機構を腕時計の内部に設けて、装飾腕時計とすることも考えられるが、腕時計といった極めて狭い空間しか有しない時計ケース内部に、扉を含めた装飾機構を配設するには、種々の工夫が必要である。
【０００４】
そこで、扉を開閉させるトリガとなるスイッチ信号を、分針等を駆動する時刻表示用輪列機構に連動して、オン状態とオフ状態とが切り替えられるメカニカルスイッチからの出力とすることが考えられる。
【０００５】
しかし、メカニカルスイッチのオフ状態からオン状態への切替えタイミングは、このメカニカルスイッチを構成する部品の個体差や使用環境等に応じて変動し易く、常に正確な正時で動作させるのが難しい。
【０００６】
ここで、指針表示式の電子時計アラーム時計では、メカニカルスイッチと、正確に一定時間間隔でパルスを出力する秒同期カウンタとを用い、両者（メカニカルスイッチによるスイッチ信号のオン状態と秒同期カウンタによるパルスの出力）のアンド条件で、アラームを鳴動させる手法が採用されており（特許文献２）、この技術を上記装飾腕時計に転用することで、装飾機構を正時の所定時間内に動作させることができると考えられる。
【特許文献１】特公平５−２４４７５号公報
【特許文献２】特開昭５４−１４５５７９号公報
【発明の開示】
【発明が解決しようとする課題】
【０００７】
上述したメカニカルスイッチによるオフ状態からオン状態への切替えは、接点同士の物理的な接触により電気的に通電することで行われるが、メカニカルスイッチは時刻表示用輪列機構に連動しているため、接点同士は、時間の経過にしたがって徐々に接触する。
【０００８】
そして、接点同士の接触圧が徐々に高められることによって、電気的な通電が開始されて、オフ状態からオン状態に切り替わるが、接触圧が徐々に高められる経過を辿る場合、接点同士の接触圧と電気的な通電開始タイミングとを常に一定の対応関係に収束させるのは困難であり、上述した特許文献２に開示された技術によっても実現することはできない。
【０００９】
本発明は上記事情に鑑みなされたものであって、時刻表示用輪列機構に連動して信号を出力するメカニカルスイッチを用いつつ、装飾機構を動作させる時刻の精度を向上させることができる装飾腕時計を提供することを目的とする。
【課題を解決するための手段】
【００１０】
本発明に係る装飾腕時計は、メカニカルスイッチに瞬時スイッチ機構を設けて、非接触状態のメカニカルスイッチの接点同士を瞬時に接触させることで接点同士の接触圧を短時間のうちに急激に高め、これによって、オフの安定状態からオンの安定状態に瞬間的に切り替え、併せてメカニカルスイッチから出力されたスイッチ信号と秒同期カウンタから出力されたパルスとのアンド条件で、扉用ステップモータを駆動することにより、時刻表示用輪列機構に連動して信号を出力するメカニカルスイッチを用いつつ、装飾機構を動作させる時刻の精度を向上させるものである。
【００１１】
すなわち、本発明に係る装飾腕時計は、開閉可能の扉と、前記扉を開閉させる駆動機構と、前記駆動機構を駆動する扉用ステップモータおよび扉用輪列機構と、時刻系モータおよび時刻表示用輪列機構と、前記時刻表示用輪列機構に連動してスイッチ信号を出力するメカニカルスイッチと、秒に同期して一定時間間隔でパルスを出力する秒同期カウンタと、前記扉用ステップモータに駆動信号を出力する制御回路とを有し、前記メカニカルスイッチは、定時になるとスイッチ部材が瞬間的に接点端子に接触することによってオフ安定状態からオン安定状態に切り替える瞬時スイッチ機構を有し、前記制御回路は、前記スイッチ信号の出力期間中に前記秒同期カウンタからのパルスを検出することにより、前記扉用ステップモータに前記駆動信号を出力して、前記扉を開閉させることを特徴とする。
【００１２】
ここで、メカニカルスイッチは時刻表示用輪列機構に連動しているため、メカスイッチのオフ安定状態からオン安定状態への移行は、時刻用輪列機構の動きにしたがって緩やかなものとなるが、瞬時スイッチ機構は、時刻用輪列機構の動きにしたがった動きに比べて極めて速い動きで、オフ安定状態からオン安定状態に移行する機構である。
【００１３】
秒同期カウンタは、電気的な回路によって、正確に例えば１分間隔でパルスを出力するものである。
【００１４】
なお、秒同期カウンタがパルスを出力するタイミングは、正分の０秒時に限定されるものではなく、１０秒時や２０秒時、あるいは３５秒時等、どのタイミングであってもよい。
【００１５】
本発明に係る装飾腕時計によれば、メカニカルスイッチが有する瞬時スイッチ機構が、時刻用輪列機構の動きにしたがった動きに比べて極めて速い動きで、メカニカルスイッチをオフ安定状態からオン安定状態に移行させるため、オン安定状態に移行する時刻のばらつきを抑制することができる。
【００１６】
併せて、瞬時スイッチ機構が、メカニカルスイッチからのスイッチ信号を所定時間継続してオン状態に維持するため、このメカニカルスイッチがオン状態の期間中に、秒同期カウンタから間欠的に出力されるパルスを検出することができ、メカニカルスイッチによるスイッチ信号がオン安定状態で、かつ秒同期カウンタによるパルスの出力時に、制御回路が扉用ステップモータに駆動信号を出力することで、時刻表示用輪列機構に連動して信号を出力するメカニカルスイッチを用いつつ、装飾機構を動作させる時刻の精度を向上させることができる。
【００１７】
本発明に係る装飾腕時計においては、前記メカニカルスイッチは、前記時刻表示用輪列機構に連動して回転するスイッチカム座と円板状で外周の一部にカットされた凹部を有し前記スイッチカム座に同心に係合したスイッチカムとからなるカム機構、および先端部がカム駆動面にある状態においては前記接点端子と離れてオフ安定状態となり前記凹部にある状態においては前記接点端子と接触してオン安定状態となるスイッチ部材を備え、少なくとも前記凹部または先端部に傾斜面が形成されているとともに、前記カム機構により、前記オフ安定状態と前記オン安定状態との切替えを行うものであり、前記瞬時スイッチ機構は、前記スイッチカムが前記スイッチカム座に対し先行回転可能な伝達機構を有し、前記スイッチ部材が瞬時に前記スイッチカムを先行回転させることで、前記スイッチ部材が前記スイッチカムの凹部を落下し前記接点端子と接触することにより、形成されたものであることが好ましい。
【００１８】
好ましい構成の装飾腕時計によれば、カム機構の短径部と長径部との差に応じたリフト量で、メカニカルスイッチのオン安定状態とオフ安定状態とを時刻に連動して切り替えることができ、通常時（扉の非動作時）は、スイッチカム座のピンがスイッチカムにおける長孔の回転方向前方壁面を押すことで、スイッチカムをスイッチカム座と一体的に、時刻表示用輪列機構に連動して回転させ、スイッチカムの回転によって上記リフト量の変化を得ることができる。
【００１９】
スイッチカムの傾斜面の傾斜角度は緩いので、スイッチカムを逆回転してもスイッチばねと突っ張ることはない。したがって、時刻表示用輪列機構として、指針の正回転・逆回転というメカニカルな針合わせ方式を採用する一般的な時計ムーブメントをそのまま利用して、その指針軸またはこの指針軸に噛合する番車あるいは回転機構に、スイッチカムを設けることができる。
【００２０】
一方、扉の動作時は、カム機構のうち、スイッチカムに従動する従動節であるスイッチ部がスイッチカムに対して与える反力は、スイッチカムをスイッチカム座よりも先行させて回転させる方向に作用するため、時刻表示用輪列機構に連動するスイッチカム座のピンからスイッチカムにおける長孔の回転方向前方壁面が離れる方向に、スイッチカムが瞬間的に回転し、この作用によって、オフ安定状態からオン安定状態への切替えを瞬時に行うことができる。
【００２１】
本発明に係る装飾腕時計においては、前記メカニカルスイッチから出力される前記スイッチ信号の立上がりが、前記秒同期カウンタから前記パルスが出力されてから次のパルスが出力されるまでの期間のうち、前記パルスの出力周期の略半分の時間が経過したタイミングとなるように設定されていることが好ましい。
【００２２】
ここで、メカニカルスイッチから出力されるスイッチ信号の立上がりとは、スイッチ信号がオフ状態からオン状態に切り替えられたときである。
【００２３】
メカニカルスイッチがオン状態に切り替えられる時刻（タイミング）はばらつく。このばらつきの時間は、秒同期カウンタ周期の半分未満であることが前提であるが、メカニカルスイッチのオン時刻後の最初の秒同期カウンタの出力で作動するようにして、正確な０秒時や２０秒時等の各分における同じ秒時における作動を実現する。このばらつきを秒同期カウンタ周期内に有効的に収めるために、秒同期カウンタの半分の時間が経過したタイミングに設定してある。
【００２４】
本発明に係る装飾腕時計においては、文字板を有し、開いた前記扉を前記文字板の背面側に位置させて、前記文字板は外部から隠されることが好ましい。
【００２５】
ここで、扉も文字板の一部を構成するものとしてもよく、この場合、文字板の一部である扉が、文字板の残りの部分の背面に隠される構成とすればよい。
【００２６】
好ましい構成の装飾腕時計によれば、開いた扉が文字板の背面に隠されるため、外部から見たとき、開いた扉が見えることによって生じ得る外観品質の低下を防止することができる。
【００２７】
本発明に係る装飾腕時計においては、前記駆動機構は、前記扉が固定された作動板を備え、外部から操作の入力される外部操作部材と、姿勢が変化するストッパ用ばね部材と、前記外部操作部材に入力された操作に連動して、前記ストッパ用ばね部材の姿勢を制御する制御レバー部材、および前記作動板を少なくとも１回分の開閉動作をさせるに必要な数のパルスを前記扉用ステップモータに出力する初期化制御回路とを有し、前記制御レバー部材によって変化した前記ストッパ用ばね部材の姿勢は、前記作動板の動きを規制する姿勢であることが好ましい。
【００２８】
ここで、外部操作部材とは、時計の外部から加えられる操作力を内部に伝達させる部材であり、そのような外部操作部のうち時計の外部に突出している部分として、例えば、巻真、リュウズ、ボタン等がある。
【００２９】
「１回分の開閉動作をさせるのに必要な数のパルスを出力させる」とは、何らかの原因によって、扉の開閉位置がずれた場合に、開閉１サイクル分、扉を駆動させることを意味するものであり、例えば、電池が消耗して扉用ステップモータがカウントミスし、開閉の中途半端な状態で止まっている場合などは、電池交換後にこの作業を行うことで扉を正規位置に合わせることができる。
【００３０】
好ましい構成の装飾腕時計によれば、外部操作部材に操作を入力している状態においては、初期化制御回路が扉用ステップモータにパルスを出力して扉を強制的に開閉動作させるが、外部操作部材に入力された操作に連動して制御レバー部材が、ストッパ用ばね部材を、扉と一体的に動作する作動板の動きを規制する姿勢に制御するため、扉はストッパ用ばね部材により規制された一定の位置で停止させられ、その停止された位置を基準として扉用ステップモータに出力するパルス数を、基準位置から所定の位置（全閉状態の位置あるいは全開状態の位置）に戻すのに必要とされる設計上の予め求められているパルス数とすることで、扉を所定の初期位置（全閉状態の位置あるいは全開状態の位置）に戻すことができる。
【００３１】
本発明に係る装飾腕時計においては、前記扉用輪列機構は、その一部にスリップ機構を備えていることが好ましい。
【００３２】
ストッパ用ばね部材が扉の動きを強制的に規制する一方、扉を駆動する扉用モータは動き続けるため、このままでは扉用モータに悪影響を与えるが、好ましい構成の装飾腕時計によれば、扉用モータと作動板（扉）との間に介在する扉用輪列機構の一部に備えられたスリップ機構が、扉用モータから伝達された駆動力を、空転して逃がすため、扉用モータに与える影響を抑制することができる。
【００３３】
本発明に係る装飾腕時計においては、回転可能のディスクと、前記ディスクを回転させるディスク用ステップモータおよびディスク用輪列機構とを備え、前記制御回路は、前記ディスク用ステップモータを、前記扉用ステップモータの駆動と同時または駆動の後に駆動するように制御することが好ましい。
【００３４】
好ましい構成の装飾腕時計によれば、制御回路が、ディスク用ステップモータを扉用ステップモータの駆動と同時または駆動の後に駆動制御するため、ディスクは扉の開放と同時または開放の後に回転し、ディスクが常時回転しているのではないことを、使用者に対して印象付けて興味を惹かせることができ、商品性を向上させることができる。
【００３５】
本発明に係る装飾腕時計においては、外部から操作の入力される外部操作部材と、姿勢が変化するディスクストッパ用ばね部材と、前記外部操作部材に入力された操作に連動して、前記ディスクストッパ用ばね部材の姿勢を制御するディスク制御レバー部材、および前記ディスクを少なくとも１回転させるのに必要な数のパルスを前記ディスク用ステップモータに出力するディスク初期化制御回路とを有し、前記ディスク制御レバー部材によって変化した前記ディスクストッパ用ばね部材の姿勢は、前記ディスクの動きを規制する姿勢であることが好ましい。
【００３６】
ここで、外部操作部材とは、時計の外部から加えられる操作力を内部に伝達させる部材であり、そのような外部操作部のうち時計の外部に突出している部分として、例えば、巻真、リュウズ、ボタン等がある。
【００３７】
好ましい構成の装飾腕時計によれば、外部操作部材に操作を入力している状態においては、ディスク初期化制御回路がディスク用ステップモータにパルスを出力してディスクを強制的に１回転させるが、外部操作部材に入力された操作に連動してディスク制御レバー部材が、ディスクストッパ用ばね部材を、ディスクの動きを規制する姿勢に制御するため、ディスクはディスクストッパ用ばね部材により規制された一定の位置で停止させられ、その停止された位置を基準としてディスク用ステップモータに出力するパルス数を、基準位置から初期位置に戻すのに必要とされる設計上の予め求められているパルス数とすることで、ディスクを初期位置に戻すことができる。
【００３８】
本発明に係る装飾腕時計においては、前記ディスク用輪列機構は、その一部にスリップ機構を備えていることが好ましい。
【００３９】
ディスクストッパ用ばね部材がディスクの動きを強制的に規制する一方、ディスクを駆動するディスク用モータは動き続けるため、このままではディスク用モータに悪影響を与えるが、好ましい構成の装飾腕時計によれば、ディスク用モータとディスクとの間に介在するディスク用輪列機構の一部に備えられたスリップ機構が、ディスク用モータから伝達された駆動力を、空転して逃がすため、ディスク用モータに与える影響を抑制することができる。
【００４０】
本発明に係る装飾腕時計においては、長径部と短径部を有する時計ムーブメントと、前記時計ムーブメントを保持する基板とを有し、前記扉用ステップモータは、前記時計ムーブメントの短径部の外方側に設けられた基板上に配置されるととともに、前記扉用ステップモータのコイルが前記時計ムーブメントの外周縁と略平行になるように配設され、前記モータのロータを含む前記扉用輪列機構は、前記時計ムーブメントの外周縁に近接して略平行になるように配設されていることが好ましい。
【００４１】
時計ムーブメントは一般に汎用されているムーブメントを使用した。この汎用のムーブメントは一般的にたる型をしており、たる型の短径部に扉用ムーブメントを配して、装飾腕時計の時計サイズの小型化を図っている。さらに、扉用輪列機構も短径部の外周縁に近接させて略平行に配置することで、時計サイズの小型化を実現した。
【００４２】
本発明に係る装飾腕時計においては、前記扉用ステップモータおよび前記扉用輪列機構は、時計の厚さ方向において、前記時計ムーブメントと略同じ高さ位置に配設されていることが好ましい。
【００４３】
時計ムーブメントの高さ領域内に扉用ステップモータや扉用輪列機構を収めることで、時計の厚さ方向の増大を避けることを可能としている。
【００４４】
本発明に係る装飾腕時計においては、回転可能のディスクと、前記ディスクを回転させるディスク用ステップモータおよびディスク用輪列機構とを有し、前記ディスク用ステップモータは、前記基板上における、前記時計ムーブメントを挟んで前記扉用ステップモータと対向する側の領域に、そのコイルが前記時計ムーブメントの外周縁と略平行になるように、かつ、前記ディスク用輪列機構が前記時計ムーブメントの外周縁に近接して略平行に配設されており、前記扉用ステップモータおよび前記扉用輪列機構並びに前記ディスク用ステップモータおよび前記ディスク用輪列機構が、前記基板に配設され外部から操作が入力される外部操作部材を避けるように、配設されていることが好ましい。
【００４５】
汎用タイプの時計ムーブメントは、一般的にたる型をしており、その短径部にディスク用ステップモータを配して時計サイズの小型化を図っている。さらに、ディスク用輪列機構も短径部の外周縁に近接させて略平行に配置することで、時計サイズの最小化を達成している。
【００４６】
また、扉用ステップモータ並びに扉用輪列機構、及びディスク用ステップモータ並びにディスク用輪列機構が、基板に配設した外部からの操作入力される外部操作部材を平面的に避けて配設して、それぞれは厚さに対して余裕を持って設計することができる。
【００４７】
本発明に係る装飾腕時計においては、前記ディスク用ステップモータおよび前記ディスク用輪列機構は、時計の厚さ方向において、前記時計ムーブメントと略同じ高さ位置に配設されていることが好ましい。
【００４８】
時計ムーブメントの高さ領域に、ディスク用ステップモータやディスク用輪列機構を収め、時計の厚さ方向の増加を避けることができる。
【発明の効果】
【００４９】
本発明に係る装飾腕時計によれば、時刻表示用輪列機構に連動して信号を出力するメカニカルスイッチを用いつつ、装飾機構を動作させる時刻の精度を向上させることができる。
【発明を実施するための最良の形態】
【００５０】
以下、本発明に係る装飾腕時計の具体的な実施の形態について、図面を参照して説明する。
【００５１】
図１は、本発明の一実施形態に係る装飾腕時計１００を示す外観図である。なお、図示の装飾腕時計１００は、時計ケース、ケースの裏蓋、風防ガラス、リュウズ（９２）などを除去した内部構造のみを示す。
【００５２】
図示の装飾腕時計１００は、（ａ）に示した通常時刻表示状態から、（ｂ）に示した、毎正時（＊＊時０分）における演奏状態に変化するものである。
【００５３】
ここで、通常時刻表示状態（図１（ａ））は、文字板２３のうち円環状の外側文字板２１よりも一段奥まった位置に配置された短冊状の内側文字板２２の両側に、開閉される扉２４，２５が配設され、これら扉２４，２５の表面は、内側文字板２２の表面と面一とされている。
【００５４】
また、内側文字板２２には、時刻表示用の時針１１、分針１２、秒針１３が配設され、外側文字板２１には、これら時針１１、分針１２、秒針１３によって指し示される時字が形成されている。
【００５５】
一方、正時の演奏状態（図１（ｂ））は、内側文字板２２の両側の扉２４，２５が外側に開いて外側文字板２１の背面側に移動し、扉２４，２５は外部から隠される。そして、扉２４，２５が開いた内部には、ディスクオルゴールの円板状ディスクを模したオルゴールディスク３１（ディスク）が配置され、このディスク３１が時計回りＷに回転するとともに、後述するパフォーマンス回路８１（秒同期カウンタ、制御回路、初期化制御回路、ディスク初期化制御回路）が、ディスク３１の回転に対応した演奏を発音させ、これにより、使用者に対して、あたかもディスクオルゴールの演奏が行われているかのように錯覚させることができる。
【００５６】
なお、ディスク３１には、本物のオルゴールディスクを模した演奏用孔３２が多数形成されている。
【００５７】
図２は、図１（ａ）に示した装飾腕時計１００から時針１１等の指針を指針回転中心Ｃ１から除去した通常時刻表示状態を示すものであり、外側文字板２１はねじ９９により、後述するプレート６１（基板）に固定されており、扉２４，２５は外方（開放方向）Ｍに向けて開放される。なお、符号９１は巻真、符号９２はリュウズであり、外部から操作が入力される外部操作部材を構成する。
【００５８】
図３は、図１（ｂ）に示した演奏状態を示すものであり、扉２４，２５が外側文字板２１の背面に隠され、内部に配置されたディスク３１が時計回りＷに回転している様子を示すものであり、通常時刻表示状態（図２）に戻るときは、外側文字板２１の背面に隠された扉２４，２５が内方（閉鎖方向）Ｎに移動する。
【００５９】
図４は、図２に示した装飾腕時計１００を、巻真９１を軸として回転し、裏面側（裏蓋側）から見た様子を示す図であり、図２における上下方向下側部分（図示における（６時側）の表記）が上側に表示され、図２における上下方向上側部分（図示における（１２時側）の表記）が下側に表示されている。
【００６０】
ここで、図５に示す円板状のプレート６１の背面（後述する図６において見えない面）に、時針１１等の指針を駆動する時刻系モータおよび時刻表示用輪列機構が収容された指針駆動モジュール１（時計ムーブメント）が保持されている。
【００６１】
指針駆動モジュール１は、平面視において、図示縦方向の長径部と図示横方向の短径部とを有し、プレート６１は略真円状に形成されている。したがって、プレート６１のうち、指針駆動モジュール１における短径部の外方側の部分６２，６３は、指針駆動モジュール１における長径部の外方側の部分よりも、平面視において広いスペースを有している。
【００６２】
そして、プレート６１の、上記短径部に対応する部分６２には、扉２４，２５を開閉させる後述の駆動機構を駆動する扉用ステップモータ４０および扉用輪列機構４１とが配置されている。
【００６３】
一方、プレート６１の、指針駆動モジュール１を挟んで扉用ステップモータ４０と対向する側の上記短径部に対応する部分６３には、ディスク３１を駆動するディスク用ステップモータ５０およびディスク用輪列機構５１とが配置されている。
【００６４】
また、図４に示した状態からパフォーマンス回路８１、扉用輪列機構受４１ｉおよびディスク用輪列機構受５１ｉを除去した状態である図５に示すように、扉用ステップモータ４０は、そのコイル４０ａが指針駆動モジュール１の外周縁と略平行になるように、かつ、そのロータ４０ｃがコイル４０ａと指針駆動モジュール１における短径部６２との間に配設され、扉用輪列機構４１は、指針駆動モジュール１の外周縁と略平行になるように配設されている。
【００６５】
同様に、ディスク用ステップモータ５０は、プレート６１上における、指針駆動モジュール１を挟んで扉用ステップモータ４０と略対向する側において、そのコイル５０ａが指針駆動モジュール１の外周縁に近接されて略平行になるように、かつ、そのコイル５０ａおよびそのロータ５０ｃ並びにディスク用輪列機構５１が、外部から操作の入力される巻真９１（外部操作部材）を避けるように配設されている。
【００６６】
図４において、ディスク用輪列機構５１を覆うように配置されているパフォーマンス回路８１は、扉用ステップモータ４０およびディスク用ステップモータ５０に対して、所定のタイミングで駆動信号等を出力する制御回路であり、このパフォーマンス回路８１には、ＩＣチップ８２と、時計１００の裏蓋に設けられた、図示を略した圧電素子に必要な電圧を供給する発音用昇圧コイル８３とが備えられている。
【００６７】
扉用輪列機構４１は、扉用ステップモータ４０のコイル４０ａで発生してヨーク４０ｂに伝達された磁力により回転するロータ４０ｃに噛合し、５番車４１ａ、４番車４１ｂ、３番車４１ｃ、扉用輪列機構受４１ｉ、およびプレート６１の表面（図６において見える面）側に配置された後述する伝え車４１ｈとからなる。
【００６８】
一方、ディスク用輪列機構５１は、ディスク用ステップモータ５０のコイル５０ａで発生してヨーク５０ｂに伝達された磁力により回転するロータ５０ｃに噛合し、５番車５１ａ、４番車５１ｂ、３番車５１ｃ、扉用輪列機構受５１ｉ、およびプレート６１の表面側に配置された後述するディスク駆動車５１ｈとからなる。
【００６９】
なお、図６の斜視図に示した円板状のプレート６１は、前述した各ステップモータ４０，５０や輪列機構４１，４２、後述するカムレバー４３および作動板４４，４５等が配置される基板（または基台）である。
【００７０】
図７，８は、プレート６１の表面側から文字板２３を除去して見た図であり、図７は扉２４，２５が閉じている状態、図８は、扉２４，２５が全開している様子を示す図である。
【００７１】
プレート６１の伝え車用穴６１ｅに配設された伝え車４１ｈは、プレート６１のカム車用穴６１ｆに配設されたカム車４２（駆動機構）に、扉用輪列機構４１の３番車４１ｃから伝達された回転を伝達する。
【００７２】
図９に示すように、カム車４２の外周面には、伝え車４１ｈに噛合する歯４２ａが切られ、プレート６１のカム車用穴６１ｆのボスに係合するボス係合孔４１ｃ回りに回転可能とされ、ボス係合孔４１ｃ回りに略ハート形の案内溝４２ｂが形成された、この案内溝４２ｂは、ボス係合孔４１ｃに最も近い短径部４２ｄから最も遠い長径部４２ｅを緩やかに繋いだ構成となっている。
【００７３】
このカム車４２の案内溝４２ｂには、カムレバー４３（駆動機構）の突起４３ａが係合している。このカムレバー４３は、プレート６１に揺動中心４３ｂ回りに回転自在に軸支され、カム車４２の反時計回りＷ′の回転にしたがって、突起４３ａが案内溝４２ｂに沿って案内されることにより、揺動中心４３ｂ回りに揺動する。
【００７４】
なお、カムレバー４３の一部は、プレート６１のカムレバー用穴６１ｉ内に配置されている。
【００７５】
一方、プレート６１の表面側に配設されたディスク駆動車５１ｈは、ディスク３１の外周面に切られた歯と噛合して（図８）、ディスク３１を回転させる。
【００７６】
図７，８の状態からディスク３１および扉２４，２５を除去した図１０，１１に示すように、カムレバー４３の他端に形成された突起４３ｃは、図１２に示した作動板４５（駆動機構）と略同一形状の作動板４４（駆動機構）の係合孔４４ｃに係合している。なお、この係合孔４４ｃは、カムレバー４３の突起４３ｃの直径よりも、図示縦方向に長く形成されている。
【００７７】
作動板４４は、スペーサ５４を介して扉２４と一体化され、その腕部には、係合孔４４ｃを挟んで、２つの突起４４ａ，４４ｂが形成されている。そして、突起４４ａはプレート６１に形成された直線状の案内溝６１ａに係合し、突起４４ｂはプレート６１に形成された直線状の案内溝６１ｂに係合しており、揺動中心４３ｂ回りにカムレバー４３が揺動すると、作動板４４は案内溝６１ａ，６１ｂに沿って直線状に往復動する。
【００７８】
また、作動板４４の腕部の一側面にはラック４４ｄが切られ、このラック４４ｄが、指針回転中心Ｃ１と同軸に回転自在とされた中間車４６（駆動機構）に噛合し、この中間車４６が、スペーサ５５を介して扉２５と一体化された作動板４５のラック４５ｄに噛合している。
【００７９】
作動板４５の腕部には、２つの突起４５ａ，４５ｂが形成され、突起４５ａはプレート６１に形成された直線状の案内溝６１ｄに係合し、突起４５ｂはプレート６１に形成された直線状の案内溝６１ｃに係合しており、揺動中心４３ｂ回りにカムレバー４３が揺動すると、作動板４５は、作動板４４および中間車４６を介して、案内溝６１ｄ，６１ｃに沿って直線状に、かつ作動板４４とは反対向きに往復動する。
【００８０】
以上の構成により、扉２４と扉２５とは、左右対称に同一速度で移動し、装飾腕時計１００として開閉動作を行う。
【００８１】
図１３，１４は、この動作の様子を示す、図１０，１１の各拡大図である。なお、図１３においては中間車４６を省略して記載しており、中間車４６の背面側に隠れている、後述のカム機構７４が現れた状態を示している。
【００８２】
ここで、突起４３ｃの揺動軌跡は円弧（Ｗ′方向およびＷ方向）であるのに対して、作動板４４の移動軌跡は水平方向直線（Ｍ方向およびＮ方向）であるが、作動板４４の係合孔４４ｃが、カムレバー４３の突起４３ｃの直径よりも縦方向に長く形成されていることにより、突起４３ｃの揺動軌跡のうち縦方向の変位成分が、突起４３ｃの直径に対する係合孔４４ｃの遊びによって吸収され、両者間の変位方向の変換を円滑にしている。
【００８３】
図１５は、上述した扉用ステップモータ４０からカムレバー４３までの回転駆動力の伝達経路を、時計１００の厚さ方向の断面で示す図、図１６は、上述した作動板４４から、中間車４６および作動板４５への駆動力の伝達経路を、時計１００の厚さ方向の断面で示す図、図１７は、上述したディスク用ステップモータ５０からディスク３１までの回転駆動力の伝達経路を、時計１００の厚さ方向の断面で示す図である。
【００８４】
なお、扉用ステップモータ４０および扉用輪列機構４１は、時計１００の厚さ方向において、指針駆動モジュール１と略同じ高さ位置に配設されている。
【００８５】
また、ディスク用ステップモータ５０およびディスク用輪列機構５１も、時計１００の厚さ方向において、指針駆動モジュール１と略同じ高さ位置に配設されている。
【００８６】
図示において、符号１１ａは時針１１が結合する筒車、符号１２ａは分針１２が結合する２番車、符号１３ａは秒針１３が結合する４番車で各指針軸を形成している。また、符号１４は針座をそれぞれ表している。
【００８７】
ここで、扉用輪列機構４１の３番車４１ｃおよびディスク用輪列機構５１の３番車５１ｃには、入出力間のトルクの差に応じて、駆動力の伝達を抑制するスリップ機構が備えられている。
【００８８】
すなわち、扉用輪列機構４１の３番車４１ｃは、図１８に示すように、かな４１ｅと歯車４１ｄとが一体化しているのではなく、座４１ｇおよび皿ばね４１ｆによって、歯車４１ｄの端面がかな４１ｅの端面に押しつけられた摩擦力によって連結されているのであり、通常の作動中においては、この摩擦力によって、かな４１ｅと歯車４１ｄとは一体的に等角速度で回転するが、かな４１ｅに係る負荷が所定のトルク以上になると、かな４１ｅの端面と歯車４１ｄの端面との間で滑りが生じ、歯車４１ｄが空転して、かな４１ｅに回転駆動力が伝達されるのを防止している。
【００８９】
これは、後述する、扉２４，２５の位置の初期化動作の際に、扉２４，２５の開閉を強制的に停止させる一方、扉用ステップモータ４０の回転を継続させる動作により、扉用ステップモータ４０に悪影響が生じるのを防止するためである。
【００９０】
また、ディスク用輪列機構５１の３番車５１ｃも同様であり、図１９に示すように、ディスク駆動車５１ｈが固定される真５１ｅと歯車５１ｄとが一体化しているのではなく、座５１ｇおよび皿ばね５１ｆによって、歯車５１ｄが真５１ｅとの摩擦力によって連結されているのであり、通常の作動中においては、この摩擦力によって、真５１ｅと歯車５１ｄとは一体的に等角速度で回転するが、真５１ｅに係る負荷が所定のトルク以上になると、真５１ｅと歯車５１ｄとの間で滑りが生じ、歯車５１ｄが空転して、真５１ｅに回転駆動力が伝達されるのを防止している。
【００９１】
これも、後述する、ディスク３１の回転角度位置の初期化動作の際に、ディスク３１の回転を強制的に停止させる一方、ディスク用ステップモータ５０の回転を継続させる動作により、ディスク用ステップモータ５０に悪影響が生じるのを防止するためである。
【００９２】
図１３，１６，１７に示したカム機構７４および図１１に示したスイッチばね７１は、メカニカルスイッチを構成しており、カム機構７４は、図１６等に示すように、２番車１２ａに結合されて、１時間の間に１回転する。
【００９３】
そして、このカム機構７４は、図２０に示すように、２番車１２ａ（時刻表示用輪列機構）に結合されるスイッチカム座７２と、スイッチカム座７２と同心に、そのボス係合面７３ｅがスイッチカム座７２のボス７２ｂに係合したスイッチカム７３とからなる。
【００９４】
スイッチカム座７２には、その表面にピン７２ａが形成され、このピン７２ａは、スイッチカム７３に形成された、周方向に延びる長孔７３ｃに係合している。この長孔７３ｃは、スイッチカム７３の回転方向に沿ってピン７２ａの直径よりも長く形成されている。
【００９５】
スイッチカム７３の外周面は、カム駆動面７３ａであり、このカム駆動面７３ａの一部は、他の部分よりも半径方向に凹んだ傾斜面７３ｂを有している。
【００９６】
そして、スイッチカム座７２が、２番車１２ａと一体的に回転すると、ピン７２ａが、スイッチカム７３の長孔７３ｃの前壁面７３ｄを押し、これによって、スイッチカム７３が、スイッチカム座７２に追従して回転する。
【００９７】
このように、ピン７２ａと長孔７３ｃによって、スイッチカム７３を回転させる伝達機構を形成している。
【００９８】
スイッチカム７３のカム駆動面７３ａには、図６に示したプレート６１のメカニカルスイッチ穴６１ｇに配置された、図２１に示す金属製のスイッチばね７１のばね部７１ａの先端部７１ｂが押圧して接している。この押圧は、ばね部７１ａの弾性力によるものであり、矢印Ｆ方向に作用している。
【００９９】
また、ばね部７１ａが弾性変形している図２１に示す状態、即ち「オフ安定状態」においては、ばね部７１ａから離れて非接触状態となる位置に、負極の端子７５ａが位置するように、この負極の端子７５ａを有するスイッチ台７５が、プレート６１に固定されている。なお、スイッチばね７１は、時計１００の正極に接続されており、正極のばね部７１ａと負極の端子７５ａとが接触することで、メカニカルスイッチがオン安定状態となり、非接触状態でオフ安定状態となる。
【０１００】
ここで、時計１００が毎正時に近づくと、「オン安定状態」となる、図２２に示すように、カム駆動面７３ａのうち、ばね部７１ａの先端部７１ｂが当接する位置が傾斜面７３ｂとなるが、ばね部７１ａの先端部７１ｂは、その弾性力により傾斜面７３ｂを押圧しているため、スイッチカム７３を、この押圧力により７１ｂが７３ｂを落下するように一瞬のうちに時計回り方向Ｗに回転させるように作用する。
【０１０１】
これにより、スイッチカム７３は、スイッチカム座７２のピン７２ａから長孔７３ｃの前壁面７３ｄが離れるようにスイッチカム座７２よりも先行して、ピン７２ａが長孔７３ｃの範囲内で回転する。即ち、スイッチカム７３がスイッチカム座７２に対し先行回転可能な構成を有している。
【０１０２】
すなわち、通常の回転時（図２１）においては、スイッチカム７３はスイッチカム座７２によって駆動されているため、スイッチカム７３の回転角速度ω２は、スイッチカム座７２の回転角速度ω１と等しい（ω２＝ω１）が、毎正時に近づいたとき（図２２）においては、スイッチカム７３はばね部７１ａの先端部７１ｂに押されて、スイッチカム７３の回転角速度ω３は、スイッチカム座７２の回転角速度ω１よりも早くなる（ω３＞ω１）。
【０１０３】
そして、ばね部７１ａの先端部７１ｂは、ばね部７１ａの弾性変形が復元しつつ、カム駆動面７３ａの傾斜面７３ｂに沿い、このカム駆動面７３ａの凹んだ範囲の底部に近づいた位置で、ばね部７１ａが端子７５ａに接触して、メカニカルスイッチは、スイッチ部材が７３ｂを滑って瞬間的に落下することによって、瞬時にオフ安定状態からオン安定状態に切り替えられる。
【０１０４】
このように、カム機構７４は、メカニカルスイッチを、オフ安定状態から瞬時にオン安定状態に切り替える瞬時スイッチ機構となっている。なお、図２３は、上述したメカニカルスイッチを、時計１００の厚さ方向の断面で示す図である。
【０１０５】
先端部７１ｂの傾斜面によってスイッチカム７３を蹴るようにして、カム傾斜面７３ｂを急峻な角度に設計することもできるが、図２１、図２２に示すように、傾斜面７３ｂとカム駆動面７３ａとの交差角度を鈍角にしてこのコーナー部の磨耗を最小に設計することが望ましい。
【０１０６】
また、針合わせの際、逆回転させた時にカムも逆回転するが、傾斜面７３ｂは傾斜が緩いので部品に過度の負荷が掛からずに傾斜面７３ｂより脱出できる。
【０１０７】
さらに、メカニカルスイッチがオン安定状態に切り替えられた後は、スイッチカム座７２よりも先行しているスイッチカム７３の長孔７３ｃの前壁面７３ｄに、スイッチカム座７２のピン７２ａが当接して、スイッチカム座７２がスイッチカム７３に追い着くまで、スイッチカム７３は停止し、この期間中、メカニカルスイッチはオン安定状態を維持し続ける。したがって、メカニカルスイッチからは所定時間継続してオン安定状態のスイッチ信号が出力され続ける。
【０１０８】
一方、パフォーマンス回路８１からは、毎分の０秒に同期して１分間隔でパルスを出力する。すなわち、パフォーマンス回路８１は秒同期カウンタの機能を有している。
【０１０９】
そして、制御回路としてのパフォーマンス回路８１は、メカニカルスイッチのオン安定状態で出力されるスイッチ信号の出力期間中に、秒同期カウンタからのパルスを検出することにより、扉用ステップモータ４０に駆動信号（パルス）を出力して、扉用ステップモータ４０を駆動し、扉２４，２５を開放させる。
【０１１０】
そして、扉２４，２５が開いた後は、パフォーマンス回路８１に記憶されたプログラムにしたがった制御により、ディスク３１が回転し始めると同時に、昇圧コイル８３に電圧が印加されて圧電素子による電子音の演奏が行われ、所定時間の演奏の後、ディスク３１の回転が停止されるとともに電子音による演奏が停止され、扉２４，２５が閉じて、元の通常時刻表示状態となる。
【０１１１】
このプログラムにしたがった制御内容を、図２４のフローチャートおよび図２５のタイミングチャートにしたがって説明する。
【０１１２】
なお、扉２４，２５の開放とディスク３１の回転開始および演奏の開始とのタイミングは、上述したタイミングとは反対に、ディスク３１の回転開始および演奏の開始を、扉２４，２５の開放に先行したものとしてもよい。また、ディスク３１の回転停止および演奏の停止を待たずに、扉２４，２５を閉じてもよい。
【０１１３】
ここで、例えば、扉用ステップモータ４０を６４Ｈｚ、ディスク用ステップモータ５０を１６Ｈｚで動作するものとし、扉用輪列機構４１の減速比を６４０、ディスク用輪列機構５１の減速比を４８０の仕様とし、扉２４，２５の開放に１０秒間、閉鎖に１０秒間を要するものとする。
【０１１４】
まず、メカニカルスイッチが毎正時の約３０秒前にオン状態に切り替わってスイッチ信号が入力され（Ｓ１）、その後約３０秒後の正時に、パフォーマンス回路８１の秒同期カウンタからパルスが出力され（Ｓ２）、これらのアンド条件が成立して、制御回路としてのパフォーマンス回路８１から扉用ステップモータ４０を駆動制御する駆動信号（パルス）が扉用ステップモータ４０に入力され、扉用ステップモータ４０が駆動されて扉２４，２５が、閉じた状態から開き（Ｓ３）、扉用ステップモータ４０に出力されたパルス数が６４０パルスになった時点すなわち１０秒後に、パフォーマンス回路８１から出力されていた駆動信号が停止し、扉用ステップモータ４０の駆動が停止し、扉２４，２５は開き切った状態で停止する（Ｓ４）。このとき扉２４，２５は、外側文字板２１の背面に隠れた状態となる。
【０１１５】
次いで、制御回路としてのパフォーマンス回路８１からディスク用ステップモータ５０への駆動信号がディスク用ステップモータ５０に入力されて、ディスク用ステップモータ５０が駆動されてディスク３１が回転を開始する（Ｓ５）とともに、圧電素子による演奏が開始される（Ｓ６）。
【０１１６】
このディスク３１の回転および演奏は２０秒間継続し、この間、使用者はディスク３１の回転と、この回転に同期した演奏とを楽しむことができる。
【０１１７】
そして、ディスク用ステップモータ５０へ出力されたパルス数が３２０パルスになった時点すなわち２０秒後に、パフォーマンス回路８１から出力されていた駆動信号が停止し、ディスク用ステップモータ５０の回転および演奏が終了する（Ｓ７）。
【０１１８】
その後、パフォーマンス回路８１から扉用ステップモータ４０への駆動信号が扉用ステップモータ４０に入力されて、扉用ステップモータ４０が駆動されて扉２４，２５が、開いた状態から閉じ始め（Ｓ８）、扉用ステップモータ４０へ出力されたパルス数が６４０パルスになった時点すなわち１０秒後に、パフォーマンス回路８１から出力されていた駆動信号が停止し、扉用ステップモータ４０の駆動が停止し、扉２４，２５は閉じきった状態で停止する（Ｓ９）。
【０１１９】
なお、ディスク３１は上述した一連の作用で、１／３回転（１区間）するものとし、演奏されるメロディも３種類記憶されており、各１／３回転の回転範囲に対応してそれぞれ異なるメロディが演奏される。
【０１２０】
したがって、それぞれの演奏メロディは、３時間ごとに演奏されることになり、毎時同一の演奏メロディが発音されることによる単調さを回避している。
【０１２１】
また、ディスク３１の表面の、１／３回転している期間中に外部から視認可能な範囲に、演奏されるメロディの曲名を表示してもよい。
【０１２２】
図２５における（ａ）はメカニカルスイッチのスイッチ信号、（ｂ）は秒同期カウンタのパルスを示し、（ｃ）および（ｄ）は、それぞれ（ａ）、（ｂ）の時間軸で拡大したものである。なお、メカニカルスイッチのスイッチ信号がオン状態の期間中に発生する秒同期カウンタのパルス数は、（ｃ），（ｄ）に示すように、６つであるものに限定されるものではなく、少なくとも１つであってもよい。
【０１２３】
したがって、スイッチカム７３の長孔７３ｃの長さ（厳密には、図２１において、回転中心回りの角度のうち、ピン７２ａの直径に対応した角度分を差し引いた角度θ２）は、傾斜面７３ｂを先端部７１ｂが落下して、スイッチカム７３を先行回転させるため、傾斜面７３ｂに対応する角度（図２１において、傾斜面７３ｂの両端と回転中心とをそれぞれ結んだ線がなす角度θ１）以上に設定すればよい。なお、図２５（ｃ），（ｄ）に示した例では、角度θ２は、約６分間に対応した回転角度に設定されており、この時間中は、スイッチカム７３は回転せずに停止し、スイッチカム座７２のみが２番車１２ａに連動して回転し続け、この時間を超えると、スイッチカム７３はスイッチカム座７２に連動して回転する。
【０１２４】
なお、図２５（ｅ）は、パフォーマンス回路８１から扉用ステップモータ４０に出力される駆動信号（パルス）、図２５（ｆ）は、パフォーマンス回路８１からディスク用ステップモータ５０に出力される駆動信号（パルス）、図２５（ｇ）は、パフォーマンス回路８１から昇圧コイル８３に出力される発音の制御信号である。
【０１２５】
なお、メカニカルスイッチから出力されるスイッチ信号の立上がり（スイッチ信号がオフ安定状態からオン安定状態に切り替えられたとき）が、秒同期カウンタからパルスが出力されてから次のパルスが出力されるまでの期間（１分間）のうち、パルスの出力周期の略半分の時間（約３０秒間）が経過したタイミングとなるように設定されているのは、メカニカルスイッチの立上がりは、環境条件や部品個々ばらつき、潤滑条件等に応じて、１０秒間程度のばらつきが生じ得るためである。
【０１２６】
例えば、０秒同期カウンタからのパルスの出力とメカニカルスイッチの出力のタイミングが近接していると、メカニカルスイッチの出力はばらつくので、正規タイミングの０秒同期カウンタの出力がメカニカルスイッチの出力より時系列的に前になったり後ろになったりする。
【０１２７】
本実施形態ではメカニカルスイッチの出力後の最初の０秒同期カウンタを有効としており、前に出力された場合は次の０秒同期カウンタ出力を拾うので、約１周期分遅れて作動することとなる。
【０１２８】
設定の方法は、製造メーカにおいてメカニカルスイッチがオン安定状態になった瞬間から３０秒経過した辺りの（指針軸）位置で、時分針を正時、正分であって、かつ秒針を０秒に取り付ける。ユーザーは秒針が０秒を指示した時点でリュウズ９２を引き出して指針合わせを行い、正確な正分信号（時報等）に合わせてリュウズ９２を押し込み、運針を開始させる。この動作に合わせて０秒同期カウンタがスタートする。
【０１２９】
以上により、メカニカルスイッチと０秒同期カウンタの半周期とが合わせられ、正時、正分、正秒に扉２４，２５を作動させることが可能となる。
【０１３０】
このように構成された本実施形態に係る装飾腕時計１００によれば、メカニカルスイッチが有する瞬時スイッチ機構が、分針１２の動きにしたがった動きに比べて極めて速い動きで、メカニカルスイッチをオフ安定状態からオン安定状態に移行させるため、オン安定状態に移行する時刻（タイミング）のばらつきを抑制することができる。
【０１３１】
併せて、瞬時スイッチ機構が、メカニカルスイッチからのスイッチ信号を所定時間継続してオン状態に維持するため、このメカニカルスイッチがオン安定状態の期間中に、０秒同期カウンタから間欠的に出力されるパルスを検出することができ、メカニカルスイッチによるスイッチ信号がオン安定状態で、かつ０秒同期カウンタによるパルスの出力時に、パフォーマンス回路８１が扉用ステップモータ４０を駆動することで、分針１２に連動して信号を出力するメカニカルスイッチを用いつつ、扉２４，２５の開閉動作、ディスク３１の回転動作および演奏動作の時刻の精度を向上させることができる。
【０１３２】
また、カム機構７４の長径部であるカム駆動面７３ａの一般面（円周面）と短径部である傾斜面７３ｂとの差に応じたリフト量で、メカニカルスイッチのオン安定状態とオフ安定状態とを時刻に連動して切り替えることができ、通常時刻表示状態（扉２４，２５の非動作時）は、スイッチカム座７２のピン７２ａがスイッチカム７３における長孔７３ｃの前壁面７３ｄを押すことで、スイッチカム７３をスイッチカム座７２と一体的に、分針１２に連動して回転させ、スイッチカム７３の回転によって上記リフト量の変化を得ることができる。
【０１３３】
一方、扉２４，２５の動作時は、カム機構７４のうちスイッチカム７２に従動する従動節であるばね部７１ａがスイッチカム７３に対して与える反力は、スイッチカム７３をスイッチカム座７２よりも先行させて回転させる方向に作用するため、分針１２に連動するスイッチカム座７２のピン７２ａからスイッチカム７３における長孔７３ｃの前壁面７３ｄが離れる方向に、かつピン７２ａに対する長孔７３ｃの長さ範囲内で、スイッチカム７３が瞬間的に回転し、この作用によって、オフ安定状態からオン安定状態への切替えを瞬時に行うことができる。
【０１３４】
また、本実施形態に係る装飾腕時計１００によれば、開いた扉２４，２５が文字板２１の背面に隠されるため、外部から見たとき、開いた扉２４，２５が見えることによって生じ得る外観品質の低下を防止することができる。
【０１３５】
さらに、本実施形態に係る装飾腕時計１００によれば、パフォーマンス回路８１が、ディスク用ステップモータ５０を、扉用ステップモータ４０の駆動の後に駆動するように制御するため、ディスク３１は扉２４，２５の開放の後に回転し、ディスク３１が常時回転しているのではないことを、使用者に対して印象付けて興味を惹かせることができ、時計１００の商品性を向上させることができる。
【０１３６】
また、装飾腕時計１００の指針駆動モジュール１は一般に汎用されているムーブメントであるが、この汎用のムーブメントは一般的にたる型をしており、たる型の短径部の外方側の部分６２に扉用ステップモータ４０を配して、装飾腕時計１００のサイズの小型化を図っている。さらに、扉用輪列機構４１も短径部の外方側の部分６２における、たる型の外周縁に近接させて略平行に配置することで、装飾腕時計１００のサイズの小型化を実現することができる。
【０１３７】
同様に、その短径部の外方側の部分６３にディスク用ステップモータ５０を配してサイズの小型化を図っている。さらに、ディスク用輪列機構５１も短径部の外方側の部分６３における、たる型の外周縁に近接させて略平行に配置することで、装飾腕時計１００のサイズの小型化を実現することができる。
【０１３８】
また、本実施形態に係る装飾腕時計１００によれば、時計１００の厚さ方向において指針駆動モジュール１の高さ領域内に扉用ステップモータ４０および扉用輪列機構４１を配設することで、時計１００の厚さ方向の増大を避けることができる。
【０１３９】
同様に、指針駆動モジュール１の高さ領域内にディスク用ステップモータ５０およびディスク用輪列機構５１を配設することで、時計１００の厚さ方向の増大を避けることができる。
【０１４０】
ところで、扉用ステップモータ４０が出力するパルスと扉２４，２５の位置とは、本来は初期的に一定の対応関係を有しているが、パフォーマンス回路８１や扉用ステップモータ４０に電力を供給する電池が消耗したり、電池交換が行われると、初期的な対応関係にずれが生じる虞がある。
【０１４１】
すなわち、初期的な対応関係がずれると、扉２４，２５が完全に開き切らないうちに、あるいは完全に閉じ切らないうちに、扉用ステップモータ４０が停止することになる。
【０１４２】
また、ディスク用ステップモータ５０が出力するパルスとディスク３１の回転角度位置との対応関係についても同様である。
【０１４３】
そこで、本実施形態に係る装飾腕時計１００は、これらの対応関係を初期的な対応関係に復帰させるイニシャライズ（初期化）処理機能を備えている。
【０１４４】
すなわち、プレート６１のストッパ用穴６１ｈに、図２６に示した弾性を有する金属製の薄板であるストッパ７６が配設されている。
【０１４５】
このストッパ７６は、位置決め孔７６ａがストッパ用穴６１ｈに形成された突起に係合し、固定用孔７６ｂにねじが挿入されて、ねじがプレート６１に固定されることで、プレート６１に固定されている。
【０１４６】
また、このストッパ７６には、扉用ステップモータ４０と扉２４，２５との対応関係をイニシャライズ処理する扉用ストッパ部７６ｃ（扉ストッパ用ばね部材）と、ディスク用ステップモータ５０とディスク３１の回転角度位置との対応関係をイニシャライズ処理するディスク用ストッパ部７６ｇ（ディスクストッパ用ばね部材）とを備えている。
【０１４７】
そして、扉用ストッパ部７６ｃは、突出した突出部７６ｄと陥凹した陥凹部７６ｅとが形成され、先端部７６ｆは上方（文字板側）を向いている。
【０１４８】
同様に、ディスク用ストッパ部７６ｇは、突出した突出部７６ｈと陥凹した陥凹部７６ｉとが形成され、先端部７６ｊは上方（文字板側）を向いている。
【０１４９】
また、図２７に示すように、プレート６１には、時刻合わせを行うためのリュウズ９２を矢印Ｋ方向に引く操作を行うと、このリュウズ９２と一体化された巻真９１のＫ方向への移動に連動して、回転中心７７ｄ回りに回動する、略Ｖ字形状の巻真レバー７７（制御レバー部材、ディスク制御レバー部材）が備えられている。
【０１５０】
すなわち、この巻真レバー７７は、その回転中心７７ｄがプレート６１に軸支され、その巻真係合部７７ｃが巻真９１に係合している。
【０１５１】
ここで、リュウズ９２が引き出されていない状態では、巻真レバー７７の一方の先端部７７ａは、図２８の断面図における実線で示すように、扉用ストッパ部７６ｃの突出部７６ｄをプレート６１側に押圧しており、これにより、扉用ストッパ部７６ｃは姿勢（形状）が変化して、その先端部７６ｆは作動板４５に干渉しない位置とされている。
【０１５２】
同様に、巻真レバー７７の他方の先端部７７ｂは、図２９の断面図における実線で示すように、ディスク用ストッパ部７６ｇの突出部７６ｈをプレート６１側に押圧しており、これにより、ディスク用ストッパ部７６ｇは姿勢（形状）が変化して、その先端部７６ｊはディスク３１に干渉しない位置とされている。
【０１５３】
一方、図３０に示すように、リュウズ９２が引き出された状態では、巻真レバー７７は回転中心７７ｄ回りに回転して、一方の先端部７７ａは、図２８の断面図における二点鎖線で示すように、扉用ストッパ部７６ｃの陥凹部７６ｅの位置に移動し、これによって、扉用ストッパ部７６ｃは姿勢（形状）が変化する以前の状態の姿勢（形状）に復帰し、その先端部７６ｆは作動板４５に干渉する位置とされる。
【０１５４】
同様に、巻真レバー７７の他方の先端部７７ｂは、図２９の断面図における二点鎖線で示すように、ディスク用ストッパ部７６ｇの陥凹部７６ｉの位置に移動し、これによって、ディスク用ストッパ部７６ｇは姿勢（形状）が変化する以前の状態の姿勢（形状）に復帰し、その先端部７６ｊはディスク３１に干渉する位置とされる。
【０１５５】
ここで、リュウズ９２が引き出された状態では、指針駆動モジュール１のリセットスイッチ（図示省略）がオン状態となり、運針が停止するとともに、このリセットスイッチのオン信号が初期化制御回路としてのパフォーマンス回路８１に出力され、パフォーマンス回路８１は、作動板４４，４５（扉２４，２５）を少なくとも１回分の開閉動作をさせるのに必要な数のパルス（駆動信号）を扉用ステップモータ４０に出力するとともに、ディスク初期化制御回路としてのパフォーマンス回路８１が、ディスク３１を少なくとも１回転させるのに必要な数のパルス（駆動信号）をディスク用ステップモータ５０に出力する。
【０１５６】
この結果、扉用ストッパ部７６ｃの先端部７６ｆは、図２８に示すように、扉２５が略全開状態に位置したときの作動板４５の端部に干渉し、扉２５がＮ方向に閉じるのを阻止して、扉２５の動きを停止させる。
【０１５７】
そして、この停止した扉２５（扉２４も同様）の位置（全開位置）が基準位置として設定され、この扉２５の停止後も、パフォーマンス回路８１からは予め設定された数のパルスを出力し終わるまで扉用ステップモータ４０にパルスが出力されて、扉用ステップモータ４０は回転を継続する。
【０１５８】
ここで、扉２５は停止され、扉用ステップモータ４０は回転を続けると、扉用ステップモータ４０に過度の負荷がかかるが、扉用輪列機構４１の３番車４１ｃには、前述したスリップ機構が備えられているため、この３番車４１ｃが扉用ステップモータ４０から伝達された駆動力を逃がし、扉用ステップモータ４０に与える過度の負荷を抑制することができる。
【０１５９】
そして、パフォーマンス回路８１から予め設定された数のパルスを出力し終わると、扉用ステップモータ４０は停止する。
【０１６０】
その後、リュウズ９２が元の位置に戻されると、扉用ストッパ部７６ｃの姿勢（形状）が変化して、その先端部７６ｆは作動板４５に干渉しない位置に戻される（図２７、図２８の実線）。
【０１６１】
このとき、指針駆動モジュール１のリセットスイッチはオフ信号をパフォーマンス回路８１に出力し、パフォーマンス回路８１から、全開状態の位置にある扉２４，２５を全閉状態の位置に戻すのに必要とされる予め設定された数のパルスが、扉用ステップモータ４０に出力され、これによって、扉２４，２５を全閉状態の位置に戻され、扉用ステップモータ４０と扉２４，２５との対応関係がイニシャライズ処理される。
【０１６２】
同様に、ディスク用ストッパ部７６ｇの先端部７６ｊは、図２９に示すように、ディスク３１の全周のうち１カ所に形成されたストッパ係合孔３８（図７，８参照）に係合し、ディスク３１が時計回りＷに回転するのを阻止して、ディスク３１の動きを停止させる。
【０１６３】
そして、この停止したディスク３１の停止位置が基準の回転角度位置として設定され、このディスク３１の停止後も、パフォーマンス回路８１からは予め設定された数のパルスを出力し終わるまでディスク用ステップモータ５０にパルスが出力されて、ディスク用ステップモータ５０は回転を継続する。
【０１６４】
ここで、ディスク３１は停止され、ディスク用ステップモータ５０は回転を続けると、ディスク用ステップモータ５０に過度の負荷がかかるが、ディスク用輪列機構５１の３番車５１ｃには、前述したスリップ機構が備えられているため、この３番車５１ｃがディスク用ステップモータ５０から伝達された駆動力を逃がすため、ディスク用ステップモータ５０に与える過度の負荷を抑制することができる。
【０１６５】
そして、パフォーマンス回路８１から予め設定された数のパルスを出力し終わると、ディスク用ステップモータ５０は停止する。
【０１６６】
その後、リュウズ９２が元の位置に戻されると、ディスク用ストッパ部７６ｇは姿勢が変化して、その先端部７６ｊはディスク３１のストッパ係合孔３８に係合しない位置に戻される（図２７、図２９の実線）。
【０１６７】
ここで、ディスク３１の基準の回転角度位置は、回転を開始する初期位置と一致しているため、この時点で、ディスク用ステップモータ５０とディスク３１との対応関係のイニシャライズ処理は終了する。
【０１６８】
なお、上述した説明では、扉用ステップモータ４０とディスク用ステップモータ５０との駆動開始は同時としたが、扉用ステップモータ４０の駆動が停止した後にディスク用ステップモータ５０の駆動が開始されるようにしてもよく、以下、イニシャライズ処理の制御を示すフローチャート（図３１）およびタイミングチャート（図３２）の説明は、扉用ステップモータ４０とディスク用ステップモータ５０とを順次に駆動する制御とする。
【０１６９】
すなわち、リュウズが引き出されると（Ｓ１１）、リセットスイッチの信号がオンに切り替えられる（Ｓ１２）とともに、各ストッパ部７６ｃ，７６ｇの姿勢（形状）が変化する（Ｓ１３）。
【０１７０】
また、メカニカルスイッチからのスイッチ信号がオン安定状態のときは、このスイッチ信号は、制御上では無視される（Ｓ１４）。これは、リュウズ９２が元の位置に戻されたとき、イニシャライズのために、パフォーマンス回路８１から、全開状態の位置にある扉２４，２５を全閉状態の位置に戻すのに必要とされる数のパルスが扉用ステップモータ４０に出力されるのに対して、メカニカルスイッチからスイッチ信号がオン安定状態（毎正時近傍）であると、０秒同期カウンタからのパルスの入力とのアンド条件により、扉２４，２５が正規の全閉位置に戻る以前に、扉２４，２５の開放動作が開始されて、イニシャライズ処理動作が正確に行われなくなるのを防止するためである。
【０１７１】
リセットスイッチの信号がオンになると（Ｓ１２）、扉用ステップモータ４０が回転して扉２４，２５が開閉動作を開始し（Ｓ１５）、その後、扉２５の動作板４５に扉用ストッパ部７６ｃが掛かって扉２４，２５を停止させ（Ｓ１６）、扉用輪列機構４１の３番車４１ｃがスリップし（Ｓ１７）、その後、扉用ステップモータ４０は停止する（Ｓ１８）。
【０１７２】
次いで、ディスク用ステップモータ５０が回転してディスク３１が回転を開始し（Ｓ１９）、その後、ディスク３１にディスク用ストッパ部７６ｇが掛かってディスク３１を停止させ（Ｓ２０）、ディスク用輪列機構５１の３番車５１ｃがスリップし（Ｓ２１）、その後、ディスク用ステップモータ５０は停止する（Ｓ２２）。
【０１７３】
そして、リュウズ９２が元の位置に押し戻されると（Ｓ２３）、リセットスイッチの信号がオフになり（Ｓ２４）、同時に、各ストッパ部７６ｃ，７６ｇの姿勢（形状）が元の姿勢（形状）に戻され（Ｓ２５）、扉用ステップモータ４０が駆動されて扉２４，２５が閉じ始め（Ｓ２６）、扉用ステップモータ４０が停止するとともに扉２４，２５が正規の全閉状態に戻され（Ｓ２７）、メカニカルスイッチからのオンのスイッチ信号の無視が解除される（Ｓ２８）。
【０１７４】
なお、リセットスイッチの信号がオフになると（Ｓ２４）同時に、秒同期カウンタからの１分間隔のパルスが出力される。これは、リュウズ９２が引き出されるのは、通常は、時刻合わせ操作のためであるため、秒針１３が０秒を指示しているときに行われるのが一般的であり、リセットスイッチの信号がオンに切り替わった時点で、秒針１３の動作は停止し、時刻合わせ操作が終了してリセットスイッチの信号がオフに切り替わった瞬間、すなわち秒針１３が０秒指示状態から動作を再開するタイミングに、秒同期カウンタの１分間隔のパルスの出力のタイミングを合致させるためである。
【０１７５】
また、ステップ２６（Ｓ２６）において、全開状態の位置にある扉２４，２５を全閉状態の位置に戻すのに必要とされるパルス数６４０から差し引く補正パルス数２４は、強制的にカム車４２を回転したために、カムレバー４３の突起４３ａがカム車４２の案内溝４２ｂの長径部４２ｅの右端部にあるので、それを中央に合わせるための角度分と各種遊びによるズレ量を補正するのに必要なパルス数であり、これは設計上の仕様に応じて変動する。
【０１７６】
図３２は、上述した処理のタイミングチャートであり、（ａ）はリセットスイッチの信号（リュウズ９２の引出し）、（ｂ）は各ストッパ部７６ｃ，７６ｇの作動、（ｃ）は扉用ステップモータ４０の駆動、（ｄ）はディスク用ステップモータ５０の駆動、（ｅ）はメカニカルスイッチのスイッチ信号、をそれぞれ示す。
【０１７７】
以上のように構成された本実施形態に係る装飾腕時計１００によれば、巻真９１が引き出されている状態においては、パフォーマンス回路８１が扉用ステップモータ４０にパルスを出力して扉２４，２５を強制的に開閉動作させるが、巻真９１の引出し操作に連動して巻真レバー７７が、扉用ストッパ部７６ｃを、扉２５と一体的に動作する作動板４５の動きを規制する姿勢（形状）に制御するため、扉２５は扉用ストッパ部７６ｃにより規制された一定の基準位置で停止させられ、その停止された基準位置を基準として扉用ステップモータ４０に出力するパルス数を、基準位置から所定の位置（全閉状態の位置）に戻すのに必要とされる設計上の予め求められているパルス数とすることで、扉２４，２５を所定の初期位置（全閉状態の位置）に戻すことができる。
【０１７８】
また、巻真９１が引き出されている状態においては、パフォーマンス回路８１がディスク用ステップモータ５０にパルスを出力してディスク３１を強制的に１回転動作させるが、巻真９１の引出し操作に連動して巻真レバー７７が、ディスク用ストッパ部７６ｇを、ディスク３１の動きを規制する姿勢（形状）に制御するため、ディスク３１はディスク用ストッパ部７６ｇにより規制された一定の基準の回転角度位置（初期位置と一致）で停止させられることで、ディスク３１を初期位置に戻すことができる。
【０１７９】
なお、ストッパ７６は、上述した形態に限定されるものではなく、扉用ストッパ部７６ｃとディスク用ストッパ部７６ｇとが別体とされた形態のものであってもよい。
【０１８０】
すなわち、図３３，３４に示すように、ディスク用ストッパ７６′は、上述した実施形態におけるストッパ７６のディスク用ストッパ部７６ｇをそのまま利用した形態とし、一方、扉用ストッパ７８は、その一端部である固定部７８ａが巻真レバー７７の一方の端部７７ａに固定され、その他端部には、作動板４４の突起４４ｂに係合し得るフック部７８ｂが形成されたものである。
【０１８１】
ディスク用ストッパ７６′は、上述した実施形態におけるストッパ７６のディスク用ストッパ部７６ｇの作用と同じ作用を奏する。
【０１８２】
一方、扉用ストッパ７８は、リュウズ９２が引き出されていない状態（図３３）では、そのフック部７８ｂは作動板４４の突起４４ｂに係合しない姿勢（形状）であるが、リュウズ９２が矢印Ｋ方向に引き出された状態（図３４）では、そのフック部７８ｂが全閉状態の扉２４の作動板４４の突起４４ｂに係合する姿勢（形状）に変化し、作動板４４を正規の閉位置にとどめることによって、扉２４，２５の基準位置を全閉状態の位置すなわち初期位置として設定することができ、イニシャライズを行うことができる。
【図面の簡単な説明】
【０１８３】
【図１】本発明の一実施形態に係る装飾腕時計を示す外観図である。
【図２】図１（ａ）に示した装飾腕時計から時針等の指針を指針回転中心から除去した通常時刻表示状態を示すものである。
【図３】図１（ｂ）に示した演奏状態を示すものである。
【図４】図２に示した装飾腕時計を、巻真を軸として回転し、裏面側（裏蓋側）から見た様子を示す図である。
【図５】円板状のプレートの背面に、時針等の指針を駆動する時刻系モータおよび時刻表示用輪列機構が収容された指針駆動モジュールが保持されている様子を示す図である。
【図６】円板状のプレート単体を示す図である。
【図７】プレートの表面側から文字板を除去して見た図であり、扉が閉じている状態を示す。
【図８】プレートの表面側から文字板を除去して見た図であり、扉が全開している様子を示す。
【図９】カム車単体を示す図である。
【図１０】図７の状態からディスクおよび扉を除去した図である。
【図１１】図８の状態からディスクおよび扉を除去した図である。
【図１２】作動板と扉とが一体化したものを示す図である。
【図１３】扉の開閉作用を説明する図１０の拡大図である。
【図１４】扉の開閉作用を説明する図１１の拡大図である。
【図１５】扉用ステップモータからカムレバーまでの回転駆動力の伝達経路を、時計の厚さ方向の断面で示す図である。
【図１６】作動板から、中間車および作動板への駆動力の伝達経路を、時計の厚さ方向の断面で示す図である。
【図１７】ディスク用ステップモータからディスクまでの回転駆動力の伝達経路を、時計の厚さ方向の断面で示す図である。
【図１８】扉用輪列機構の３番車におけるスリップ機構を説明する図である。
【図１９】ディスク用輪列機構の３番車におけるスリップ機構を説明する図である。
【図２０】カム機構を示す図である。
【図２１】スイッチばねおよびカム機構によるメカニカルスイッチのオフ状態を示す図である。
【図２２】スイッチばねおよびカム機構によるメカニカルスイッチのオン状態を示す図である。
【図２３】メカニカルスイッチを、時計の厚さ方向の断面で示す図である。
【図２４】扉の開閉、ディスクの回転・停止および演奏の開始・終了の制御処理を説明するフローチャートである。
【図２５】メカニカルスイッチからのスイッチ信号の出力および秒同期カウンタからパルスの出力、並びに扉用ステップモータへの入力パルス、ディスク用ステップモータへの入力パルスおよび演奏の開始・終了の制御処理を説明するタイミングチャートである。
【図２６】ストッパ単体を示す図である。
【図２７】通常時刻表示状態における巻真、巻真レバーおよびストッパの関係を示す図である。
【図２８】扉用ストッパ部の姿勢の変化を、時計の厚さ方向の断面で示す図である。
【図２９】ディスク用ストッパ部の姿勢の変化を、時計の厚さ方向の断面で示す図である。
【図３０】イニシャライズ（初期化）処理状態における巻真、巻真レバーおよびストッパの関係を示す図である。
【図３１】イニシャライズ処理の制御を示すフローチャートである。
【図３２】イニシャライズ処理の制御を示すタイミングチャートである。
【図３３】ストッパの他の実施形態を示す図であり、通常時刻表示状態における巻真、巻真レバーおよびストッパの関係を示す図である。
【図３４】ストッパの他の実施形態を示す図であり、イニシャライズ処理状態における巻真、巻真レバーおよびストッパの関係を示す図である。
【符号の説明】
【０１８４】
７１    スイッチばね
７１ａ  ばね部
７１ｂ  先端部
７２    スイッチカム座
７２ａ  ピン
７３    スイッチカム
７３ａ  カム駆動面
７３ｂ  傾斜面
７３ｃ  長孔
７３ｄ  前壁面
７４    カム機構
【図１】
2008249509.tif 000003
【図２】
2008249509.tif 000004
【図３】
2008249509.tif 000005
【図４】
2008249509.tif 000006
【図５】
2008249509.tif 000007
【図６】
2008249509.tif 000008
【図７】
2008249509.tif 000009
【図８】
2008249509.tif 000010
【図９】
2008249509.tif 000011
【図１０】
2008249509.tif 000012
【図１１】
2008249509.tif 000013
【図１２】
2008249509.tif 000014
【図１３】
2008249509.tif 000015
【図１４】
2008249509.tif 000016
【図１５】
2008249509.tif 000017
【図１６】
2008249509.tif 000018
【図１７】
2008249509.tif 000019
【図１８】
2008249509.tif 000020
【図１９】
2008249509.tif 000021
【図２０】
2008249509.tif 000022
【図２１】
2008249509.tif 000023
【図２２】
2008249509.tif 000024
【図２３】
2008249509.tif 000025
【図２４】
2008249509.tif 000026
【図２５】
2008249509.tif 000027
【図２６】
2008249509.tif 000028
【図２７】
2008249509.tif 000029
【図２８】
2008249509.tif 000030
【図２９】
2008249509.tif 000031
【図３０】
2008249509.tif 000032
【図３１】
2008249509.tif 000033
【図３２】
2008249509.tif 000034
【図３３】
2008249509.tif 000035
【図３４】
2008249509.tif 000036